(57)【要約】【課題】電子メール等の電子文章や通話相手の音声情報の感情解析の結果に応じた文章の作成を支援することが可能な通信装置を提供する。【解決手段】感情解析部１０は受信メールの内容に基づき感情を解析し、制御部５は感情解析部１０の感情解析結果に応じて文字列又は画像の選択候補を表示する表示順を決定し、表示部６は制御部５で決定された表示順に従って文字列又は画像の選択候補を表示する。また、受信メールの感情解析結果をアドレス帳９に記録し、新規メール作成時に、該当のアドレスに対して記録されている感情解析結果に応じて、送信先の相手にふさわしい単語、絵文字、画像を優先的に表示する。これにより、相手の雰囲気にマッチした文章の作成が可能となる。【選択図】図１
2009110056.tif 000002
【特許請求の範囲】
【請求項１】
電子メールを受信する受信手段と、
受信した電子メールの内容に基づき感情を解析する感情解析手段と、
前記感情解析手段の感情解析結果に応じて選択候補を表示する表示順を決定する制御手段と、
前記表示順に従って前記選択候補を表示する表示手段と、
を備えた通信装置。
【請求項２】
通話相手から音声情報を受信する第１受信手段と、
受信した音声情報に基づき感情を解析する感情解析手段と、
前記感情解析手段の感情解析結果を前記通話相手と対応させて記憶する第１記憶手段と、
前記第１記憶手段に記憶された前記感情解析結果に応じて選択候補を表示する表示順を決定する制御手段と、
前記表示順に従って前記選択候補を表示する表示手段と、
を備えた通信装置。
【請求項３】
前記選択候補は、文字列又は画像である請求項１又は請求項２に記載の通信装置。
【請求項４】
前記文字列は、単語又は絵文字である請求項３に記載の通信装置。
【請求項５】
前記感情解析手段は、前記受信した電子メールの返信時に前記受信した電子メールの内容に基づき感情を解析する請求項１に記載の通信装置。
【請求項６】
電子メールを受信する第２受信手段と、
前記感情解析結果を受信した電子メールと対応させて記憶する第２記憶手段と、を更に備え、
前記制御手段は、電子メールの新規作成時に前記第２記憶手段に記憶された前記感情解析結果に応じて前記選択候補を表示する表示順を決定する請求項２に記載の通信装置。
【発明の詳細な説明】
【技術分野】
【０００１】
本発明は、携帯電話等の通信装置に関し、特に電子メール等の電子文章の作成が可能な通信装置に関する。
【背景技術】
【０００２】
従来、パーソナルコンピュータや、電子メールの送受信が可能な携帯電話機等の通信装置で作成された電子文章の感情解析を行う技術が存在する。例えば、特許文献１には、ユーザから感情の判定を依頼された電子文章を、感情表現辞書と単語の感情表現の数値データで感情を判断し、その結果をアイコン等の表現でユーザに返す技術が開示されている。また、特許文献２には、入力文章から単語を抽出し、抽出した単語に対する感情ベクトル値の割付を行い、文章全体の感情ベクトルを算出し、算出した感情ベクトルに対応する表現画像情報を出力する技術が開示されている。
【０００３】
【特許文献１】特開２００２−２３００１１号公報
【特許文献２】特開２００５−１８２３６８号公報
【発明の開示】
【発明が解決しようとする課題】
【０００４】
しかしながら、特許文献１、２で開示された技術は、電子文章の感情解析結果に応じた画像を表現するのみであり、電子メール等の電子文章や通話相手の音声情報の感情解析の結果に応じた文章作成が困難であるという問題がある。
【０００５】
本発明は、かかる事情に鑑みてなされたものであり、電子メール等の電子文章や通話相手の音声情報の感情解析の結果に応じた文章作成が可能な通信装置を提供することを目的とする。
【課題を解決するための手段】
【０００６】
前記目的を達成するため、本発明の通信装置は、電子メールを受信する受信手段と、受信した電子メールの内容に基づき感情を解析する感情解析手段と、前記感情解析手段の感情解析結果に応じて選択候補を表示する表示順を決定する制御手段と、前記表示順に従って前記選択候補を表示する表示手段と、を備えた。
【０００７】
この構成によれば、受信した電子メールの内容に基づいて感情を解析し、その解析結果に応じて選択候補を表示する表示順を決定し、決定した表示順に従って選択候補を表示するので、電子メールの送り主の雰囲気にマッチした文章を作成することができる。
【０００８】
また、本発明の通信装置は、通話相手から音声情報を受信する第１受信手段と、受信した音声情報に基づき感情を解析する感情解析手段と、前記感情解析手段の感情解析結果を前記通話相手と対応させて記憶する第１記憶手段と、前記第１記憶手段に記憶された前記感情解析結果に応じて選択候補を表示する表示順を決定する制御手段と、前記表示順に従って前記選択候補を表示する表示手段と、を備えた。
【０００９】
この構成によれば、通話相手の音声情報に基づいて感情を解析し、その解析結果に応じて選択候補を表示する表示順を決定し、決定した表示順に従って選択候補を表示するので、通話相手の雰囲気にマッチした文章を作成することができる。
【００１０】
また、上記構成において、前記選択候補は、文字列又は画像である。
【００１１】
この構成によれば、選択候補として文字列又は画像を表示するので、電子メールの送り主又は通話相手の雰囲気にマッチした文章を作成することができる。
【００１２】
また、上記構成において、前記文字列は、単語又は絵文字である。
【００１３】
この構成によれば、選択候補の文字列として単語又は絵文字を表示するので、電子メールの送り主又は通話相手の雰囲気にマッチした文章を作成することができる。
【００１４】
また、上記構成において、前記感情解析手段は、前記受信した電子メールの返信時に前記受信した電子メールの内容に基づき感情を解析する。
【００１５】
この構成によれば、受信メールの返信時に該受信メールの内容に基づいて感情を解析するので、電子メールの送り主の雰囲気にマッチした文章を作成することができる。
【００１６】
また、上記構成において、電子メールを受信する第２受信手段と、前記感情解析結果を受信した電子メールと対応させて記憶する第２記憶手段と、を更に備え、前記制御手段は、電子メールの新規作成時に前記第２記憶手段に記憶された前記感情解析結果に応じて前記選択候補を表示する表示順を決定する。
【００１７】
この構成によれば、電子メールの新規作成時に、第２記憶手段に記憶させた感情解析結果に応じて選択候補を表示する表示順を決定するので、通話相手の雰囲気にマッチした文章を作成することができる。
【発明の効果】
【００１８】
本発明によれば、受信した電子メールの内容又は受信した音声情報に基づき感情を解析し、その感情解析結果に応じて文字列又は画像の選択候補を表示する表示順を決定し、決定した表示順に従って文字列又は画像の選択候補を表示するので、電子メールの送り主又は通話相手の雰囲気にマッチした文章を作成することができる。
【発明を実施するための最良の形態】
【００１９】
以下、本発明を実施するための好適な実施の形態について、図面を参照して詳細に説明する。
【００２０】
図１は、本発明の一実施の形態に係る携帯電話機の概略構成を示すブロック図である。図１において、本実施の形態の携帯電話機１は、アンテナ２と、通信部（受信手段）３と、操作部４と、制御部（制御手段）５と、表示部（表示手段）６と、記憶部（第１記憶手段）７と、辞書８と、アドレス帳（第２記憶手段）９と、感情解析部（感情解析手段）１０とを備えて構成される。アンテナ２は、無線信号の送受信に使用される。通信部３は、無線信号の送受信を行うものである。通信部３は、携帯電話機１の使用者の音声や使用者が作成した電子メールを無線信号に変換して送信し、また図示せぬ基地局から送信された他の携帯電話機からの無線信号を受信して音声や電子メールを復調する。
【００２１】
操作部４は、本実施の形態の携帯電話機１を使用するための操作を行うものであり、テンキー、機能キー等からなる。制御部５は、マイクロコンピュータ及びこのマイクロコンピュータを制御するためのプログラムを記憶した不揮発性メモリを有し、装置各部を制御する。表示部６は、ＬＣＤ（Liquid Crystal Display）を有し、携帯電話機１の使用時における各種表示を行う。例えば、電話をかけるときには操作部４で入力された電話番号を表示し、電子メールを作成するときには操作部４で入力された文字や記号等を表示する。また、詳細は後述するが、電子メールの返信時に制御部５が決定した表示順に従って選択候補を表示する。記憶部７は、携帯電話機１の使用において使用されるメモリであり、例えば受信した電子メールの保存や携帯電話機１で作成された電子メールの保存等に使用される。
【００２２】
辞書８は、電子メールの作成時に使用できる単語、絵文字、画像等を記憶している。アドレス帳９は、受信した電子メールの送り主のアドレス（メールアドレス、住所、氏名等）の記憶や、携帯電話機１の使用者が直接入力したアドレスの記憶を行う。感情解析部１０は、公知の感情抽出方法を用いて、受信した電子メールの内容に基づき感情を解析する。電子メールなどの文章を対象として感情認識を自動で行う方法や装置としては、前述した特開２００２−２３００１１号公報で開示された「感情認識システム」の他、同公報で開示された特開平９−０８１６３２号公報で開示された「情報公開装置」、特公平６−０８２３７６号公報で開示された「感情情報抽出装置」、特公平６−０８２３７７号公報で開示された「感情情報抽出装置」等がある。因みに、特開２００２−２３００１１号公報で開示された「感情認識システム」は、感情表現辞書に格納している各単語に、「喜び」、「悲しみ」、「驚き」、「恐怖」、「怒り」、「嫌悪」の６次元からなる感情要素について、それぞれの感情を数値的に表現するデータを割り当て、ある電子文章が入力された場合に、該電子文章を形態素解析によって単語に分解し、分解した各単語について、６次元の感情要素ごとの数値データを積算し、この積算の結果、最大値を示した感情要素をもって該電子文章の感情と判定するようにしている。
【００２３】
本実施の形態では、図２に示す感情解析テーブルを感情解析部１０に格納している。この感情解析テーブルには、「喜」、「怒」、「哀」、「楽」、…の感情カテゴリに対して「単語」、「絵文字」、「画像」がプリセットされている。例えば、「喜」に対し、「単語」では、「嬉しい」、「ありがとう」が、「絵文字」では、「絵文字１」、「絵文字２」が、「画像」では、「画像１」、「画像２」がそれぞれプリセットされている。また、「怒」に対し、「単語」では、「怒る」、「憤る」が、「絵文字」では、「絵文字３」、「絵文字４」が、「画像」では、「画像３」、「画像４」がそれぞれプリセットされている。また、「哀」に対し、「単語」では、「すいません」、「憂う」が、「絵文字」では、「絵文字５」、「絵文字６」が、「画像」では、「画像５」、「画像６」がそれぞれプリセットされている。また、「楽」に対し、「単語」では、「楽しい」、「気楽」が、「絵文字」では、「絵文字７」、「絵文字８」が、「画像」では、「画像７」、「画像８」がそれぞれプリセットされている。
【００２４】
感情解析部１０は、受信した電子メール（受信メール）の感情を解析する際に上述した感情解析テーブルを使用し、受信メールの文章の単語を抽出し、感情解析テーブルと比較を行って該単語の感情値を算出する。そして、受信メールに含まれる全ての単語の感情値を合算／補正し、文章全体の感情値を算出する。制御部５は、感情解析部１０の感情解析結果に応じて「文字列（単語又は絵文字）」又は「画像」の選択候補を表示する表示順を決定する。
【００２５】
制御部５は、返信メール作成時の文字入力の変換候補や貼り付け画像の選択動作において、受信メールの感情解析結果に応じて、ふさわしい単語、絵文字、画像を優先的に表示するための表示順を決定する。制御部５は、受信メールに対して行われた感情解析の結果をアドレス帳９の個人又はグループの情報として保持及び蓄積する制御を行う。この保持及び蓄積する制御を行うことで、該当のアドレス又はグループに対するメール作成時に、蓄積されている感情解析結果に応じて、ふさわしい単語、絵文字、画像を優先的に表示することが可能となる。表示部６は、返信メール作成時に、制御部５が決定した表示順に従って「文字列（単語又は絵文字）」又は「画像」の選択候補を表示する。
【００２６】
ここで、図３及び図４は、本実施の形態の携帯電話機１の動作を模式的に示した図である。図３は、受信メールに対する返信メールの作成において「単語」を選択した場合の例である。また、図４は、受信メールに対する返信メールの作成において、「絵文字」と「画像」を選択した場合の例である。
【００２７】
図３において、受信メールに対し、「ありがとう」という「喜」の感情カテゴリの単語が抽出されると、返信メール作成時に「う」を入力した際に、変更候補として「喜」の感情カテゴリの「嬉しい」が優先的に表示される。すなわち、変換候補として、「嬉しい」、「打つ」、「受ける」、「売り」、「運動」、「浮く」、「海」、「裏」、「薄い」、「憂う」、…の順で表示される。また、図３において、受信メールに対し、「すいません」という「哀」の感情カテゴリの単語が抽出されると、返信メール作成時に「う」を入力した際に、変更候補として「哀」の感情カテゴリの「憂う」が優先的に表示される。すなわち、変換候補として、「憂う」、「打つ」、「受ける」、「売り」、「運動」、「浮く」、「海」、「裏」、「薄い」、「嬉しい」、…の順で表示される。
【００２８】
図４において、受信メールに対し、「ありがとう」という「喜」の感情カテゴリの単語が抽出されると、返信メール作成時に、「喜」の感情カテゴリの絵文字の「絵文字１、絵文字２」が優先的に表示される。また、図４において、受信メールに対し、「すいません」という「哀」の感情カテゴリの単語が抽出されると、返信メール作成時に、「哀」の感情カテゴリの画像の「画像５、画像６」が優先的に表示される。
【００２９】
このように、返信メール作成における文字入力の変換候補や貼り付け画像の選択動作において、受信メールの感情解析結果に応じて、ふさわしい単語、絵文字、画像を優先的に表示する。これにより、相手の雰囲気にマッチした文章を作成することが可能となる。
【００３０】
次に、本実施の形態の携帯電話機１の動作について図面を参照して説明する。図５は、電子メールを受信して返信メールを作成し送信する場合の処理を示すフローチャートである。また、図６は、新規に電子メールを作成し送信する場合の処理を示すフローチャートである。また、図７は、受信メールの感情解析結果（感情値）をアドレス帳に記録する処理を示すフローチャートである。以下、順を追って説明する。
【００３１】
（電子メールを受信して返信メールを作成する時の動作）
図５において、通信部３が電子メールの受信を行う（ステップＳＴ１０）。電子メールを受信すると、感情解析部１０が該電子メールの内容に基づき感情を解析する（ステップＳＴ１１）。電子メールの感情解析後、使用者が返信メールを作成する（ステップＳＴ１２）。返信メールを作成する際に、制御部５が受信メールの件名、本文に感情情報が含まれているかどうか判定し（ステップＳＴ１３）、件名、本文に感情情報が含まれていればステップＳＴ１４に進む。ステップＳＴ１４で使用者が文字を入力すると、制御部５が辞書８より通常の変換候補を取得する（ステップＳＴ１５）。
【００３２】
そして、制御部５がステップＳＴ１１における感情解析結果に応じた変換候補の表示順を決定し（ステップＳＴ１６）、変換候補を表示部６に表示する（ステップＳＴ１７）。例えば、図３に示すように、受信メールに「ありがとう」という「喜」の感情カテゴリの単語が存在している場合、返信メール作成において使用者が「う」を入力することで、変更候補として「喜」の感情カテゴリの「嬉しい」を優先的に表示する。この変換候補の表示（例えば「嬉しい」）を使用者が見てそれを選択すると、制御部５がそれを確定する（ステップＳＴ１８）。
【００３３】
入力文字に対する変換候補を確定した後、制御部５がメール編集が完了したかどうか判定する（ステップＳＴ１９）。メール編集が完了していなければステップＳＴ１４に戻り、メール編集を継続する。メール編集が完了していれば通信部３が編集し終えたメールを送信する（ステップＳＴ２０）。メールの送信は使用者が送信操作を行うことで実行される。
【００３４】
一方、ステップＳＴ１３の判定において、受信メールの件名、本文に感情情報が含まれていなければステップＳＴ２１に進む。ステップＳＴ２１で使用者が文字を入力すると、制御部５が辞書８より通常の変換候補を取得する（ステップＳＴ２２）。そして、制御部５が変換候補を表示部６に表示する（ステップＳＴ２３）。この変換候補の表示を使用者が見てそれを選択すると、制御部５がそれを確定する（ステップＳＴ２４）。入力文字に対する変換候補を確定した後、制御部５がメール編集が完了したかどうか判定する（ステップＳＴ２５）。メール編集が完了していなければステップＳＴ２１に戻り、メール編集を継続する。メール編集が完了していれば通信部３が編集し終えたメールを送信する（ステップＳＴ２０）。メールの送信は使用者が送信操作を行うことで実行される。
【００３５】
（新規に電子メールを作成する時の動作）
図６において、使用者が新規メールの作成を開始し（ステップＳＴ３０）、送信先のアドレスを入力する（ステップＳＴ３１）。そして、制御部５が、入力したメールアドレスに感情値が蓄積されているかどうか判定する（ステップＳＴ３２）。この判定において、入力したメールアドレスに感情値が蓄積されていればステップＳＴ３３に進み、蓄積されていなければステップＳＴ４０に進む。なお、感情値をアドレス帳９に記録する処理は後述する。
【００３６】
ステップＳＴ３３で使用者が文字を入力すると、制御部５が辞書８より通常の変換候補を取得する（ステップＳＴ３４）。そして、制御部５が感情解析結果に応じた変換候補の表示順を決定し（ステップＳＴ３５）、変換候補を表示部６に表示する（ステップＳＴ３６）。この変換候補の表示を使用者が見てそれを選択すると、制御部５がそれを確定する（ステップＳＴ３７）。入力文字に対する変換候補を確定した後、制御部５がメール編集が完了したかどうか判定する（ステップＳＴ３８）。メール編集が完了していなければステップＳＴ３３に戻り、メール編集を継続する。メール編集が完了していれば通信部３が編集し終えたメールを送信する（ステップＳＴ３９）。メールの送信は使用者が送信操作を行うことで実行される。
【００３７】
一方、ステップＳＴ４０で使用者が文字を入力すると、制御部５が辞書８より通常の変換候補を取得する（ステップＳＴ４１）。そして、制御部５が変換候補を表示部６に表示する（ステップＳＴ４２）。この変換候補の表示を使用者が見てそれを選択すると、制御部５がそれを確定する（ステップＳＴ４３）。入力文字に対する変換候補を確定した後、制御部５がメール編集が完了したかどうか判定する（ステップＳＴ４４）。メール編集が完了していなければステップＳＴ４０に戻り、メール編集を継続する。メール編集が完了していれば通信部３が編集し終えたメールを送信する（ステップＳＴ３９）。メールの送信は使用者が送信操作を行うことで実行される。
【００３８】
（感情値を記録する時の動作）
図７において、通信部３が電子メールの受信を行う（ステップＳＴ５０）。電子メールを受信できると、感情解析部１０が該電子メールの内容に基づき感情を解析する（ステップＳＴ５１）。電子メールの感情解析後、制御部５が、受信メールのメールアドレスがアドレス帳９に登録されているかどうか判定し（ステップＳＴ５２）、登録されていなければ本処理を終了し、登録されていればアドレス帳９に感情値を記録する（ステップＳＴ５３）。
【００３９】
以上説明したように、本実施の形態の携帯電話機１によれば、感情解析部１０が、受信メールの内容に基づき感情を解析し、制御部５が、感情解析部１０の感情解析結果に応じて文字列又は画像の選択候補を表示する表示順を決定し、表示部６が、制御部５で決定された表示順に従って文字列又は画像の選択候補を表示するので、相手の雰囲気にマッチした文章を作成することができる。
【００４０】
また、受信メールの感情解析結果をアドレス帳９に記録し、新規メール作成時に、該当のアドレスに対して記録されている感情解析結果に応じて、文字列又は画像の選択候補を表示するので、新規メールを作成する場合も相手の雰囲気にマッチした文章を作成することができる。受信メールの感情解析結果のアドレス帳への登録は、個人の情報として登録する以外にグループの情報として登録することも勿論可能である。
【００４１】
なお、本実施の形態では、受信メールから感情を解析したが、受信した通話相手の音声情報から感情を解析することも勿論可能である。また、通話相手の音声情報を解析した感情解析結果を該通話相手と対応させて記憶し、記憶した感情解析結果に応じて選択候補を表示する表示順を決定し、決定した表示順に従って選択候補を表示するようにすることも可能である。この場合、記憶部７が、感情解析結果及び通話相手（又は通話相手からの電子メール）を記憶する第１の記憶手段に対応する。
【００４２】
また、本実施の形態では、通信装置として携帯電話機を例に挙げたが、本発明は、電子メール送受信機能を有するＰＨＳ（Personal Handy-Phone System）、ＰＤＡ（Personal Digital Assistant）、パーソナルコンピュータ等の電子機器にも勿論適用することができる。
【産業上の利用可能性】
【００４３】
本発明は、電子メール等の電子文章や通話相手の音声情報の感情解析の結果に応じた文章を作成することができるといった効果を有し、電子メール送受信機能を有する携帯電話機、ＰＨＳ、ＰＤＡ、パーソナルコンピュータ等の電子機器への適用が可能である。
【図面の簡単な説明】
【００４４】
【図１】本発明の一実施の形態に係る携帯電話機の概略構成を示すブロック図
【図２】本発明の上記実施の形態に係る携帯電話機に用いられる感情解析テーブルの一例を示す図
【図３】本発明の上記実施の形態に係る携帯電話機の動作を模式的に示した図
【図４】本発明の上記実施の形態に係る携帯電話機の動作を模式的に示した図
【図５】本発明の上記実施の形態に係る携帯電話機の電子メールを受信して返信メールを作成する時の動作を説明するためのフローチャート
【図６】本発明の上記実施の形態に係る携帯電話機の電子メール新規作成時の動作を説明するためのフローチャート
【図７】本発明の上記実施の形態に係る携帯電話機の感情値記録時における動作を説明するためのフローチャート
【符号の説明】
【００４５】
１  携帯電話機
２  アンテナ
３  通信部
４  操作部
５  制御部
６  表示部
７  記憶部
８  辞書
９  アドレス帳
１０  感情解析部
【図１】
2009110056.tif 000003
【図２】
2009110056.tif 000004
【図３】
2009110056.tif 000005
【図４】
2009110056.tif 000006
【図５】
2009110056.tif 000007
【図６】
2009110056.tif 000008
【図７】
2009110056.tif 000009